(57)【要約】【課題】  固形物からそれに付着する汚染物を容易かつ確実に取り除くことができて設備のランニングコストが低く抑えられるようになるだけでなく洗浄作用が積極的になされることから洗浄効果も向上するようにした沈砂洗浄設備を提供すること。【解決手段】  洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされている。【選択図】図２
2018153792.tif 000002
【特許請求の範囲】
【請求項１】
被処理物を受け入れる沈砂槽からの沈砂を汚水とともに受入可能で受け入れ後に槽下部に沈砂を沈降させる一方沈砂上に分離水を分離させるようにする洗浄タンクと、沈砂槽からの沈砂を洗浄タンクに送給する沈砂取込機構と、洗浄タンクに洗浄水を導入可能な洗浄水供給機構と、洗浄タンクの下部であるコーン部内に空気を導入する槽内曝気機構とを有し、洗浄タンクには、その槽内に連通して接続されて内部の分離水を排出可能な中間排水機構と、コーン部に設けた排出口に開閉制御可能な沈砂排出弁を備えた沈砂排出機構とが設けられている沈砂洗浄設備において、前記洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされている沈砂洗浄設備。
【請求項２】
請求項１に記載のものにおいて、制御スクリーンは、複数枚の板を分離促進ピースの直径よりは小さく該ピースの進入・通過を許容しない間隔を置いて配置した部材とされるとともにその一端は下降用管部の上端および下端に臨んで分離促進ピースを上昇用管部の方向に誘導するような形状とされている沈砂洗浄設備。
【発明の詳細な説明】
【技術分野】
【０００１】  この発明は、沈砂洗浄設備に関する。
【背景技術】
【０００２】  収集されてきたし尿（被処理物）は、し尿処理設備内の受入槽に導入されてそのあと清浄化処理がなされるが、それらし尿の中には土砂、石、布、紙、金属片等が混入しているのが通例であるため、そのままでは後に続く清浄化処理を難しくする。そのため、し尿を受入槽の前段階に設けた沈砂槽内に一旦導いてそこで土砂などの沈降分離させることで沈砂となし、その沈砂を別槽である洗浄槽へと導いてそこで洗浄してのち槽外に排出する行程を経ることによりしつこい汚染物が分離した洗浄沈砂を得るようにしてある。そうしたことを可能にした沈砂洗浄設備の一例として、特許文献１に開示されたものがある。
【先行技術文献】
【特許文献】
【０００３】
【特許文献１】特許第４８６９９０８号公報
【発明の概要】
【発明が解決しようとする課題】
【０００４】  特許文献１の沈砂洗浄設備は、被処理物を受け入れた沈砂槽から堆積物を吸い上げ洗浄タンクに送り込む真空ポンプと、前記沈砂槽から吸い上げられ送り込まれた堆積物を内部で洗浄する洗浄タンクと、この洗浄タンクに洗浄水を導入する洗浄水供給機構と、前記洗浄タンクに空気を導入する空気供給機構とを有する沈砂洗浄設備において、特に、洗浄タンクの下部に、先窄まり状をしたコーン部、および該コーン部の先端に洗浄した固形物を排出する排出口を有し、コーン部には、その周囲に洗浄水供給機構が接続され、該洗浄水供給機構から圧力が供給され、旋回流を生じさせて固形物を洗浄するとともに、排出口には、前記コーン部に蓄積された固形物の排出を担う開閉機構Ａと、開閉機構Ｂを介して大気を導入する大気導入口を有する洗浄空気導入配管が接続された空気供給機構が備えられ、真空ポンプを起動させて洗浄タンク内の真空度が上昇したところで、開閉機構Ｂを開放して洗浄空気導入配管を通して大気を洗浄タンク内に導入し、洗浄タンク内部を撹拌・洗浄することを特徴とするものである。
ところで、この設備においては、洗浄水供給機構と空気供給機構とを設けておき、定期的に真空ポンプを運転して減圧を保つようにした下で開閉機構Ｂを開とすることでコーン部内を曝気状態にして洗浄を繰り返しその際洗浄水も注入して旋回流を作用させるなどしてそうした洗浄方式を繰り返すことでコーン部内の沈降固形物を洗浄処理するようにしてあるが、こうした処理では、吸上げられた堆積物が固形物、例えば、土砂そのものではなく非常にしつこく汚染物を付着滞留した状況のものでありしかもそれらが互いに連鎖塊状をなすものもあってそれら汚染物は容易に取り除けない状況下にあり、それらを曝気したり旋回流として撹拌洗浄したとしても、微細的にみれば、一方の汚染物付着の土砂と他方の汚染物付着の土砂とが衝突を含めて接触し合おうとする状況においては双方の汚染物が直の土砂同士の接触の邪魔をしてそれぞれの土砂から汚染物を離脱させにくく作用する結果、汚染物の離脱が容易かつ確実になされず、そのため一定の洗浄効果を得るまでには長い時間が掛かってランニングコストもどうしても高くつくだけでなく接触離脱作用が消極的になるため洗浄効果自体も余り高く得られないという問題があった。【０００５】  この発明は、こうした問題を解決しようとするものであり、固形物からそれに付着する汚染物を容易かつ確実に取り除くことができて設備のランニングコストを低く抑えられるようになるだけでなく洗浄作用が積極的になされることから洗浄効果も向上するようにした沈砂洗浄設備を提供することを目的とする。
【課題を解決するための手段】
【０００６】  この発明は上記目的を達成するため、請求項１に記載の発明は、被処理物を受け入れる沈砂槽からの沈砂を汚水とともに受入可能で受け入れ後に槽下部に沈砂を沈降させる一方沈砂上に分離水を分離させるようにする洗浄タンクと、沈砂槽からの沈砂を洗浄タンクに送給する沈砂取込機構と、洗浄タンクに洗浄水を導入可能な洗浄水供給機構と、洗浄タンクの下部であるコーン部内に空気を導入する槽内曝気機構とを有し、洗浄タンクには、その槽内に連通して接続されて内部の分離水を排出可能な中間排水機構と、コーン部に設けた排出口に開閉制御可能な沈砂排出弁を備えた沈砂排出機構とが設けられている沈砂洗浄設備において、前記洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされている。前記沈砂取込機構としては、真空ポンプを駆動源とするものの他にサンドポンプを使用するものも含まれる。
請求項２に記載の発明は、請求項１に記載のものにおいて、制御スクリーンは、複数枚の板を分離促進ピースの直径よりは小さく該ピースの進入・通過を許容しない間隔を置いて配置した部材とされるとともにその一端は下降用管部の上端および下端に臨んで分離促進ピースを上昇用管部の方向に誘導するような形状とされている。
【発明の効果】
【０００７】  上述したように請求項１に記載の発明は、被処理物を受け入れる沈砂槽からの沈砂を汚水とともに受入可能で受け入れ後に槽下部に沈砂を沈降させる一方沈砂上に分離水を分離させるようにする洗浄タンクと、沈砂槽からの沈砂を洗浄タンクに送給する沈砂取込機構と、洗浄タンクに洗浄水を導入可能な洗浄水供給機構と、洗浄タンクの下部であるコーン部内に空気を導入する槽内曝気機構とを有し、洗浄タンクには、その槽内に連通して接続されて内部の分離水を排出可能な中間排水機構と、コーン部に設けた排出口に開閉制御可能な沈砂排出弁を備えた沈砂排出機構とが設けられている沈砂洗浄設備において、前記洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされているので、固形物からそれに付着する汚染物を容易かつ確実に取り除くことができて設備のランニングコストを低く抑えられるようになるだけでなく洗浄作用が積極的になされることから洗浄効果も向上するようにした沈砂洗浄設備を提供することができる。
【図面の簡単な説明】
【０００８】
【図１】  この発明の沈砂洗浄設備の一実施形態を示す左側面図。
【図２】  図１の沈砂洗浄設備を正面からみたものでＩＩＡ−ＩＩＡ線およびＩＩＢ−ＩＩＢ線断面をからみた部分断面を組み合わせて示す縦断面図。
【図３】  図２のＸ部を拡大して示す断面図。
【図４】  図３のＩＶ−ＩＶ線断面図。
【発明を実施するための形態】
【０００９】  以下、この発明である沈砂洗浄設備の一実施形態を図１ないし図４に基づいて説明する。洗浄タンク１は図１におけるタンク右側が正面とされそのタンク左側面を手前にして示したのが図１であり、図２はそれを正面側からみて断面として表してあり、特に図１の手前に示す２本のパイプのうち左側のパイプをＩＩＡ−ＩＩＡ断面として図２の左側に表し図１の右側のパイプをＩＩＢ−ＩＩＢとして図２の右側に便宜上表している。図１の２本のパイプは図２の洗浄タンク１の左側に位置するが、それら２本のパイプを図２において左側に重ねて表示するのが好ましくないからである。
【００１０】  洗浄タンク１は、図１のように、架台２に直立に固定設置されている。この洗浄タンク１は、直径と高さが共に１２００ｍｍの直胴円筒体でなる本体部分３と、その上部の高さ２５０ｍｍ程度の膨隆型蓋冠部４と、下部のコーン部５とを一体に備えたＳＵＳ製タンクとされている。コーン部５は、高さが５００ｍｍ前後の基部上端が本体部分３に対応する円形でその下部全体が四角錐型になったもので、図１のように、正面側が６０度に立ち上り背面側が４５度に立ち上がる面とされ、さらに、図２のように左右両面は４５度に立ち上がる面とされ、全体として下端の排出口６が正面側手前に少し偏倚した形のものとされている。
【００１１】  排出口６に相当する個所には、前下がり状の排出口部７が接続され、その端部には沈砂排出弁８が自動弁として設けられるとともに、沈砂排出弁８には下部が垂直になった排出シュート９が取り付けられている。これらは沈砂排出機構を構成する。
１１は沈砂コンテナで、排出シュート９からの排出物を取り込むとともにドレンも可能でまた可搬型で回収物を搬送可能になっている。１２は密閉カバーで、溜まる臭気を臭気処理部１３で処理が可能になっている。これらは沈砂搬送機構を構成する。
【００１２】  １５は沈砂槽で、し尿の受入槽（図示省略）の前段階に配置されてし尿の投入が可能になっており、この沈砂槽１５と洗浄タンク１の上部の沈砂入口部１６とが沈砂取込管１８で接続されるとともに、その沈砂取込管１８の経路上に沈砂取込弁（自動弁）１９が配置されている。前記沈砂入口部１６は、図２の右上欄に示すように、洗浄タンク１の内周に添って向く斜向パイプ２０を追加して洗浄タンク１内に沈砂などを螺旋流として導入するようにして予備洗浄効果が上がるようにしてもよい。
２１は真空ポンプで、吸引配管２２が洗浄タンク１の上端の吸引口部２３に接続される一方、吐出配管２４上には補給水槽２５と臭気処理部１３が設けられている。これらは沈砂取込機構を構成する。
２８はレベル計で、吸込口部２３内に導入される沈砂混じりの汚水などの水面上限レベル３０を規定するものであり、ここでは槽容量の９０％程度に達するレベルとされる。レベルはレベル計２８によらずタイマーによってもよい。
３１は接点付連成計で真空ポンプ２１の運転で洗浄タンク１内が例えば、−５００〜−６００ｍｍＨＧの一定の減圧になった時点を検出して沈砂取込弁１９を開に連動させ沈砂を取り込むようにするものである。
３２は臭気弁（自動弁）で、例えば、洗浄タンク１内に沈砂・汚水が導入されて一定時間（１〜２分）後に開とされて内部の臭気を抜き臭気処理部１３で処理するようにするものである。
【００１３】  ３４は給水ポンプで、洗浄タンク１との間を第１給水管３５で連絡するとともに給水弁（自動弁）３６を介して開閉可能とされている。給水ポンプ３４・第１給水管３５・給水弁３６は洗浄水供給機構を構成する。
３８は分離水排出弁（自動弁）で、本体部分３の下部位置に連通して沈砂４０の上に溜まった分離水４１を排出処理する。分離水排出弁３８などは中間排水機構を構成する。
４３は撹拌ブロアで、洗浄タンク１の下部であるコーン部５内に空気を導入して汚水混じりの沈砂４０を曝気撹拌する槽内曝気機構とされている。
【００１４】  ここで、洗浄タンク１は、第１循環洗浄機構Ｌ１と第２循環洗浄機構Ｌ２とを洗浄タンク１の左側を介して並列配備してある。
第１循環洗浄機構Ｌ１は、循環路体として、上昇用管部５０と下降用管部５１および上下２本の連通管部５２を備え、上昇用管部５０は、垂直な丸パイプで、下降用管部５１も垂直な丸パイプであるが、上昇用管部５０は呼びが１００Ａと太く下降用管部５１は呼び５０Ａで細目とされている。下降用管部５１が上昇用管部５０よりも細くしてあるのは下降用管部５１には主に分離促進ピース５８…のみが通過するものであるからであり、上昇用管部５０と同じ呼び径とすることもできる。上下の連通管部５２は、上昇用管部５０と同じ太さにしてある。上昇用管部５０・下降用管部５１・連通管部５２は立面上において一つの四角ループを形成する。上昇用管部５０の上下端部は詰まらないようにＲ部を形成してある。
【００１５】  ５４は上下の接続管部で、この接続管部５４は連通管部５２からそれぞれ水平に伸びた個所に呼び１００Ａをもって突出丸パイプ状に形成されている。５５は上下の取付管部（呼び１００Ａ）で、洗浄タンク１の本体部分３の上部寄りであって水面上限レベル３０以下に対応する個所とコーン部５の中程高さ位置とに連通状をなして水平向きに接続されている。これら取付管部５５には、接続管部５４が脱着可能に連結されている。
【００１６】  ６０は制御スクリーンで、この制御スクリーン６０は、図３および図４に拡大して示すように、薄肉状丸パイプ製の装填筒６１とその内部に平行配備した薄板状スクリーン板６２および中間フランジ６３とでなる。装填筒６１は、取付管部５５と接続管部５４の２つの管部内に出し入れ自在に装填セットできる円筒型をしており、その基部側一端は上側のものについては軸中心に直交する面をもってカットされ下側のものについてはコーン部５に合わせた斜め状にカットしたものになっているとともに、他端である先端側は上側のものも下側のものも共に４５度をもって斜め切りしたものになっている。
【００１７】  上下の装填筒６１内には、複数枚の縦向きのスクリーン板６２…が左右に一定の間隔を置くようにして配列固定されている。スクリーン板６２は、図４に示すように、比重が１．１前後の合成ゴム製で直径２５ｍｍの丸ボール型をした分離促進ピース５８に対し１０ｍｍ以下の隙間をもって一定間隔を置いて配列されることで分離促進ピース５８は通過を阻止し沈砂・洗浄水などについては通過を許すように設定されている。スクリーン板６２は、図２の上側のものについては基部側一端は垂直状で先端側が斜め切り状態とされ図２の下側のものについては基部側と先端側が共に斜め切状態とされたものになっている。
【００１８】  そして、上下の制御スクリーン６０はその外周の中間フランジ６３を取付フランジ６５間に挟んだ状態で脱着可能に止着されている。それにより、制御スクリーン６０の上側のものについては、その先端側が循環路５７内に入れられた多数の分離促進ピース５８…を沈砂・洗浄水とともに連通管部５２から下降用管部５１に詰まることなく円滑に誘導するように、また制御スクリーン６０の下側のものについては多数の分離促進ピース５８…を沈砂・洗浄水とともに下降用管部５１から下側の連通管部５２の方向に詰まることなく円滑に誘導するように設定して固定してある。
【００１９】  制御スクリーン６０は、沈砂および洗浄水の通過は許容するが分離促進ピース５８…の通過は許容せず洗浄のために繰り返し循環運動するようにするものである。この制御スクリーン６０は、循環路体を取付管部５５側から取り外すことで抜脱可能となって必要なメンテナンス等が可能となり、その後は取付管部５５内に制御スクリーン６０の基部を差し込んでのち上下の接続管部５４を制御スクリーン６０に嵌め入れるとともに取付フランジ６５間に中間フランジ６３を挟んで止着固定すれば図２の装填セットした状態を得ることができる。
【００２０】  ６７は連通管部５２上に設けたピース投入機構である。この機構６７は、連通管部５２上に突設した口部６８と、その口部６８に開閉自在に取り付けたハンドル付き蓋体６９と、この蓋体６９から突設された支持棒７０の下端に設けられて連通管部５２に開けられた開口を閉止する湾曲板状の閉止ガイド板７１とからなる。蓋板６９は口部６８にねじ込み式に取り付けるようにしてもよい。
【００２１】  ７３は浮上用空気供給機構で、前記撹拌ブロア（共通）４３から上昇用管部５０の下部寄り位置に向けて空気配管７４が接続されて循環路５７内にある沈砂混じりの洗浄水をエアーリフト力により浮揚作用させるとともに分離促進ピース５８…を上昇用管部５０内で浮上させて沈砂の洗浄を積極的に行えるようにするとともにこれらをさらに下降用管部５１に導いて洗浄作用をしながら元の上昇用管部５０まで循環駆動させ、それを何度も繰り返して洗浄効果を早く確実に高めるようにするものである。７６は第２給水管で、給水弁３６が開き給水ポンプ３４が作動した時点で第１給水管３５側だけでなく本第２給水管７６，７６を通じて循環路５７，５７内に給水がなされるようになっている。循環路５７内への給水により該循環路５７内などに詰まりがあったり分離促進ピース５８…に付着物があったり沈砂に汚れが残ったりしていた場合にもそれらを取り除いて洗浄タンク１内へと除去して自動メンテナンスをすることが可能になる。その循環路５７内への給水は、第１給水管３５側が閉じられた状態で独自に第２給水管７６上のバルブが開かれることによりなされるようにしてもよい。
尚、第２循環洗浄機構Ｌ２は、第１循環洗浄機構Ｌ１と略同様の構成であるので同じ符号を付して説明に代える。只、下部の取付管部５５は排出口部７の位置に連通状に突設されている。
【００２２】  沈砂洗浄設備例の作用を説明する。まず、洗浄タンク１に沈砂を導入するため、洗浄タンク１を密閉状態にする。即ち、沈砂取込弁１９・分離水排出弁３８・沈砂排出弁８・臭気弁３２・給水弁３６等を全て閉にしたうえで真空ポンプ２１の運転を開始する。
真空ポンプ２１を運転することで洗浄タンク１内が−５００〜−６００ｍｍＨＧになったことを連成計３１により検知するとき、沈砂取込弁１９は開とされ、これにより、沈砂槽１５内の堆積物である沈砂・汚水が発生する吸引力により沈砂取込管１８を通じて洗浄タンク１内に導入される。
その導入量が図２のように洗浄タンク１の槽全容量の９０％程度まで達すると、レベル計２８が限度を検知して真空ポンプ２１を連動停止させる。レベル計２８によらずタイマーにより導入限度を規定するようにすることがある。
【００２３】  真空ポンプ２１を停止して１〜２分後には沈砂４０が沈降しその上には分離水４１が分離して残されるようになり、その後、臭気弁３２・分離水排出弁３８は開かれると同時に沈砂取込弁１９は閉じられる。分離水排出弁３８が開かれると、洗浄タンク１内の分離水４１は排出され、その排出が終わると分離水排出弁３８は閉じられる。
【００２４】  分離水排出弁３８が閉じられたあと給水弁３６は開かれ、それにより、洗浄タンク１内には、洗浄水が供給され、分離水４１と同じレベルまで達するとレベル計２８により供給停止され、そのあと給水弁３６は閉じられる。その後撹拌ブロア４３の運転が開始されると、槽内曝気機構コーン部５内に空気が供給されて洗浄タンク１内で激しく槽内曝気がなされることから洗浄効果が上がるだけでなく循環路５７内に吸い込まれやすい状態を作るとともに、上昇用管部５０内では浮上用空気が送り込まれることにより内水にエアーリフト力が作用することになり、その結果、洗浄タンク１内の激しく曝気中の沈砂・洗浄水などが吸引力を得て下部制御スクリーン６０を図２の矢印ａのように通過して上昇用管部５０内に取り込まれて矢印ｌのように上昇し上部制御スクリーン６０を矢印ｂのように通過して再び洗浄タンク１内に戻されることになり、その間、沈砂は撹拌洗浄を受け、特に循環駆動される分離促進ピース５８…による積極的な衝当・摺擦・接触等の作用を得て沈砂周りにしつこく付着した汚染物は洗浄タンク１内だけでの洗浄に比べて格段に早く確実に洗浄効果が得られるものとなる。
【００２５】  分離促進ピース５８はゴルフボールのような多数の凹部をもつものあるいは凸部をもつものさらには凹凸をもつものにするとより洗浄効果が上がり、多角形ブロック状にしてもよい。分離促進ピース５８は制御スクリーン６０，６０のスクリーン板６２…による通過規制ガイド機能により洗浄タンク１に戻されることなく常に円滑に循環路５７内を繰り返し循環して洗浄作用をするものである。
【００２６】  一方、分離促進ピース５８のスクリーン板６２…間の隙間は洗浄タンク１内からの沈砂・洗浄水を次々に取り込みまた上回りにおいて洗浄後あるいは洗浄中の沈砂を洗浄タンク１内に還流させる機能を果たす。一定に設定された洗浄時間を経たのち、撹拌ブロア４３を停止して沈砂を沈降させ、さらにそののち、分離水排出弁３８を開いて上澄みの分離水４１を排出する。
そののち、給水弁３６を開いて第１給水管３５を経て洗浄タンク１内に洗浄水を供給し一定レベルとし、その後、撹拌ブロア４３を運転して洗浄タンク１内だけでなく循環路５７内で再度撹拌洗浄がなされる。これらの撹拌洗浄を必要回数繰り返すものとするが、本設備では分離促進ピース５８…により積極的な洗浄力を得ることから繰り返し回数も少なくて済む。洗浄後、分離水排出弁３８を開いて分離水を排出してのち、沈砂排出弁８を開いて沈降した沈砂分を排出して沈砂コンテナ１１に導き搬出処理をする。
【００２７】  前記実施形態では上下に短い側の第１循環洗浄機構Ｌ１と長い側の第２循環洗浄機構Ｌ２との２本が並列配備されていたが、下部が排出口部７内に通じた第２循環洗浄機構Ｌ２のみで構成する場合もある。
撹拌ブロア４３はコンプレッサーでもよい。
上側制御スクリーン６０の先端はスクリーン板６２…のある個所を除いて全て開口状とされていたが、図３および図４に示すように、装填筒６１の先端側の一部を斜めに塞ぐように沈砂戻しガイド６６を設けて一部沈砂が再び下降用管部５１内に持ち込まれやすくすることでより洗浄効果が上がるようにしてもよい。
本沈砂洗浄設備は、し尿処理施設に適用されることに限定されず、例えば、農業集落排水処理施設や小規模等下水処理設備などにも適用がある。
【符号の説明】
【００２８】  １…洗浄タンク  ５…コーン部  ６…排出口  ７…排出口部  ８…沈砂排出弁  １５…沈砂槽  ２１…真空ポンプ  ２８…レベル計  ３０…水面上限レベル  ３４…給水ポンプ  ３８…分離水排出弁  ４０…沈砂  ４１…分離水  Ｌ１、Ｌ２…第１、第２循環洗浄機構  ５０…上昇用管部  ５１…下降用管部  ５４…接続管部  ５５…取付管部  ５７…循環路  ５８…分離促進ピース  ６０…制御スクリーン  ６１…装填筒  ６２…スクリーン板  ７３…浮上用空気供給機構。
【図１】
2018153792.tif 000003
【図２】
2018153792.tif 000004
【図３】
2018153792.tif 000005
【図４】
2018153792.tif 000006
【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
被処理物を受け入れる沈砂槽からの沈砂を汚水とともに受入可能で受け入れ後に槽下部に沈砂を沈降させる一方沈砂上に分離水を分離させるようにする洗浄タンクと、沈砂槽からの沈砂を洗浄タンクに送給する沈砂取込機構と、洗浄タンクに洗浄水を導入可能な洗浄水供給機構と、洗浄タンクの下部であるコーン部内に空気を導入する槽内曝気機構とを有し、洗浄タンクには、その槽内に連通して接続されて内部の分離水を排出可能な中間排水機構と、コーン部に設けた排出口に開閉制御可能な沈砂排出弁を備えた沈砂排出機構とが設けられている沈砂洗浄設備において、前記洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされている沈砂洗浄設備。
【請求項２】
請求項１に記載のものにおいて、上下各制御スクリーンは、各接続管部内に挿入される装填筒と、その装填筒内に並行に配備した複数枚のスクリーン板とを備えるとともに、スクリーン板は、分離促進ピースの直径よりは小さくて該ピースの進入・通過を許容しない間隔を置いて縦向き状に配置され、上下の制御スクリーンは、基部側一端が洗浄タンクの各接続管部の基部内に位置して対応すべくカットされた形とされる一方、上側の制御スクリーンの他端である先端側は、分離促進ピースを上側の接続管部から下降用管部へと斜め下向きに誘導すべく斜め切り状に形成されて配置され、下側の制御スクリーンの他端である先端側は、分離促進ピースを下降用管部から下側の接触管部へと斜め下向きに誘導すべく斜め切り状に形成されて配置されている沈砂洗浄設備。
【手続補正２】
【補正対象書類名】明細書
【補正対象項目名】０００６
【補正方法】変更
【補正の内容】
【０００６】  この発明は上記目的を達成するため、請求項１に記載の発明は、被処理物を受け入れる沈砂槽からの沈砂を汚水とともに受入可能で受け入れ後に槽下部に沈砂を沈降させる一方沈砂上に分離水を分離させるようにする洗浄タンクと、沈砂槽からの沈砂を洗浄タンクに送給する沈砂取込機構と、洗浄タンクに洗浄水を導入可能な洗浄水供給機構と、洗浄タンクの下部であるコーン部内に空気を導入する槽内曝気機構とを有し、洗浄タンクには、その槽内に連通して接続されて内部の分離水を排出可能な中間排水機構と、コーン部に設けた排出口に開閉制御可能な沈砂排出弁を備えた沈砂排出機構とが設けられている沈砂洗浄設備において、前記洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされている。前記沈砂取込機構としては、真空ポンプを駆動源とするものの他にサンドポンプを使用するものも含まれる。
請求項２に記載の発明は、請求項１に記載のものにおいて、上下各制御スクリーンは、各接続管部内に挿入される装填筒と、その装填筒内に並行に配備した複数枚のスクリーン板とを備えるとともに、スクリーン板は、分離促進ピースの直径よりは小さくて該ピースの進入・通過を許容しない間隔を置いて縦向き状に配置され、上下の制御スクリーンは、基部側一端が洗浄タンクの各接続管部の基部内に位置して対応すべくカットされた形とされる一方、上側の制御スクリーンの他端である先端側は、分離促進ピースを上側の接続管部から下降用管部へと斜め下向きに誘導すべく斜め切り状に形成されて配置され、下側の制御スクリーンの他端である先端側は、分離促進ピースを下降用管部から下側の接触管部へと斜め下向きに誘導すべく斜め切り状に形成されて配置されている。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
被処理物を受け入れる沈砂槽からの沈砂を汚水とともに受入可能で受け入れ後に槽下部に沈砂を沈降させる一方沈砂上に分離水を分離させるようにする洗浄タンクと、沈砂槽からの沈砂を洗浄タンクに送給する沈砂取込機構と、洗浄タンクに洗浄水を導入可能な洗浄水供給機構と、洗浄タンクの下部であるコーン部内に空気を導入する槽内曝気機構とを有し、洗浄タンクには、その槽内に連通して接続されて内部の分離水を排出可能な中間排水機構と、コーン部に設けた排出口に開閉制御可能な沈砂排出弁を備えた沈砂排出機構とが設けられている沈砂洗浄設備において、前記洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされている沈砂洗浄設備。
【請求項２】
請求項１に記載のものにおいて、上下各制御スクリーンは、各接続管部内に挿入される装填筒と、その装填筒内に平行に配備した複数枚のスクリーン板とを備えるとともに、スクリーン板は、分離促進ピースの直径よりは小さくて該ピースの進入・通過を許容しない間隔を置いて縦向き状に配置され、上下の制御スクリーンは、基部側一端が洗浄タンクの各接続管部の基部内に位置して対応すべくカットされた形とされる一方、上側の制御スクリーンの他端である先端側は、分離促進ピースを上側の接続管部から下降用管部へと斜め下向きに誘導すべく斜め切り状に形成されて配置され、下側の制御スクリーンの他端である先端側は、分離促進ピースを下降用管部から下側の接触管部へと斜め下向きに誘導すべく斜め切り状に形成されて配置されている沈砂洗浄設備。
【手続補正２】
【補正対象書類名】明細書
【補正対象項目名】０００６
【補正方法】変更
【補正の内容】
【０００６】  この発明は上記目的を達成するため、請求項１に記載の発明は、被処理物を受け入れる沈砂槽からの沈砂を汚水とともに受入可能で受け入れ後に槽下部に沈砂を沈降させる一方沈砂上に分離水を分離させるようにする洗浄タンクと、沈砂槽からの沈砂を洗浄タンクに送給する沈砂取込機構と、洗浄タンクに洗浄水を導入可能な洗浄水供給機構と、洗浄タンクの下部であるコーン部内に空気を導入する槽内曝気機構とを有し、洗浄タンクには、その槽内に連通して接続されて内部の分離水を排出可能な中間排水機構と、コーン部に設けた排出口に開閉制御可能な沈砂排出弁を備えた沈砂排出機構とが設けられている沈砂洗浄設備において、前記洗浄タンクには、上昇用管部と下降用管部および上下の接続管部とを備えた循環洗浄機構が上側の接続管部を洗浄タンクの上部に連通させ下側の接続管部をコーン部以下の内部に連通させた状態で連結され、上昇用管部と下降用管部とは１つの循環路を形成してその内部には複数個の分離促進ピースが循環可能に入れられるとともに、上下の接続管部内には、沈砂および洗浄水の通過は許容するが分離促進ピースの通過は許容しない制御スクリーンが設けられ、循環路には沈砂混じりの洗浄水を分離促進ピースとともに循環駆動すべく浮上用空気を供給可能とされている。前記沈砂取込機構としては、真空ポンプを駆動源とするものの他にサンドポンプを使用するものも含まれる。
請求項２に記載の発明は、請求項１に記載のものにおいて、上下各制御スクリーンは、各接続管部内に挿入される装填筒と、その装填筒内に平行に配備した複数枚のスクリーン板とを備えるとともに、スクリーン板は、分離促進ピースの直径よりは小さくて該ピースの進入・通過を許容しない間隔を置いて縦向き状に配置され、上下の制御スクリーンは、基部側一端が洗浄タンクの各接続管部の基部内に位置して対応すべくカットされた形とされる一方、上側の制御スクリーンの他端である先端側は、分離促進ピースを上側の接続管部から下降用管部へと斜め下向きに誘導すべく斜め切り状に形成されて配置され、下側の制御スクリーンの他端である先端側は、分離促進ピースを下降用管部から下側の接触管部へと斜め下向きに誘導すべく斜め切り状に形成されて配置されている。